(57)【要約】      （修正有）【課題】使用するウッドパネルの幅や固定位置が限られることなく、またウッドパネルの伸縮に応じた固定材自体の固定によって固定不良や長期間の使用による固定状態の劣化がなく、固定の時点からウッドパネルの配置の位置を予め割り出し易いウッドデッキ固定材を提供する。【解決手段】それ自体が根太材に固定され、底面に複数本の嵌入溝が形成されたウッドデッキをそれ自体の上面に固定するものであって、一枚のウッドデッキの嵌入溝数に対応した複数の基部１同士が、屈曲構成された連接枠２によって平面内に連接されてなり、各基部１は、上方に突出した複数の嵌入突部３が、ウッドデッキの各嵌入溝に対応する位置に列状形成され、いずれかの嵌入突部３間に、基部１自体を固定するための固定孔４ｈが同列形成されてなる。【選択図】図１
2012251313.tif 000002
【特許請求の範囲】
【請求項１】
それ自体が根太材に固定され、底面に複数本の嵌入溝が形成されたウッドデッキをそれ自体の上面に固定するものであって、一枚のウッドデッキの嵌入溝数に対応した複数の基部同士が、屈曲構成された連接枠によって略同一平面内に連接されてなり、
各基部は、上方に突出した複数の嵌入突部が、ウッドデッキの各嵌入溝に対応する位置に列状形成され、いずれかの嵌入突部間に、基部自体を固定するための固定孔が同列形成されてなることを特徴とするウッドデッキ固定材。
【請求項２】
連接枠は外枠部分が弾性を有する屈曲枠材によって構成され、この屈曲枠材は、固定材の連接方向中央位置の両側部に、枠外面が内側に折曲してなる中折れ部を有する請求項１記載のウッドデッキ固定材。
【請求項３】
少なくともいずれかの基部の連接枠形成側の片側部には、基部上面と同一面内で連接方向に張り出した張り出し片が形成され、ウッドデッキの固定状態において、基部上面と共にこの張り出し片の少なくとも周部の上面がウッドデッキ下面に対向してなる請求項１または２のいずれか記載のウッドデッキ固定材。
【請求項４】
平面視にて所定の長さ方向と所定の幅方向に伸長する扁平形状の２つの基部が、弾性材からなる連接枠によって幅方向に略同一平面内で連接されたウッドデッキ固定材であって、
各基部は、第一の嵌入突部と、固定部と、第二の嵌入突部とが順に、長さ方向に沿って幅方向中央位置に形成され、
各基部の連接枠形成側の長さ方向中央位置には、それぞれ基部上面と同一面内で幅方向片側へ張り出し片が側方へ張り出し形成され、
各張り出し片は片中央部にくぼみが形成されると共に、このくぼみの中央をピンゲート位置として一体成形されたものである請求項１、２、または３のいずれか記載のウッドデッキ固定材。
【請求項５】
基部は、中央に固定孔が形成された矩形の固定板と、固定板の両側方に略同一平面内でそれぞれ延出して枠形成される一対の方形枠とから一体的に構成されるものであり、
各方形枠の枠内には、ウッドデッキの長さ方向に沿って形成された一本の嵌入溝内に共に嵌入し得る嵌入突部がそれぞれ上向して突設される請求項１、２、３、または４のいずれか記載のウッドデッキ固定材。
【請求項６】
各嵌入突部は、基部の上面から上方へ突出形成された突壁と、突壁の頂部から壁両面側へそれぞれ傾斜形成された羽根板と、突壁の壁両側部を台状に支える補強枠とから一体的に構成され、各基部において、複数の突壁が一列に離間形成され、各突壁の両端に補強枠が形成されると共に、この離間部分の隣り合う補強枠間に固定孔が形成される請求項１、２、３、４、または５のいずれか記載のウッドデッキ固定材。
【請求項７】
請求項１、２、３、４、５、または６のいずれか記載のウッドデッキ固定材を根太材に列状に分散固定したウッドデッキ固定構造であって、根太材は、ウッドデッキ固定材を上面幅方向に亘って水平固定する中央のベース板と、ベース板の両側部から傾斜した傾斜側板とから構成され、両側の傾斜側板によって、ウッドデッキ固定材を固定した状態で複数個を上方に重ね置きした状態となり得ることを特徴とするウッドデッキ固定構造。
【発明の詳細な説明】
【技術分野】
【０００１】
本発明は、ウッドデッキを固定するための固定部材及びこれによるウッドデッキの固定構造に関する。
【背景技術】
【０００２】
従来、木材表面組み込み材用のクッションブロックとして、ウッドパネルの両端付近の下面に設けた一対の溝にはまりこむ矢形の突条を有したブロック材が開示される（特許文献１参照）。各ブロック材は一方の側部に２つの連結溝を、他方の側部に２つの連結片を有し、それぞれの連結溝と連結片とが嵌合して複数のブロック材が一方向に連結された状態となる。そして、この連結状態のブロックの連結方向と交差する方向にウッドパネルを敷き詰めるものとしている。
【０００３】
また、平板状部材をその厚さである突合せ面に沿って接合するための平板状部材の接合装置として、従来、嵌合凸部を嵌合凹部に自動的に嵌入することによって互いに押圧され、この姿勢で係止連結部によって固定される、係止するさねはぎ継手の嵌合凹部内面または嵌合凸部外面に、予め接着剤が塗布される構造が開示される（例えば、特許文献２参照）。前記接合装置は具体的には、互いにさねはぎ状に嵌合する嵌合凸部及び嵌合凹部が、前記突合せ面に設けられ、前記嵌合凹部のテーパ面が、該嵌合凹部の開口部方向へ、拡がるように角度が付けられて形成されており、前記開口部における前記嵌合凹部のテーパ面は、当該テーパの角度よりも大きな角度をもって、狭窄するようにテーパが付けられており、前記嵌合凸部には、その先端部から前記嵌合凹部のテーパ面と同じ角度のテーパが付けられ、更に、前記嵌合凹部の前記開口部の幅は、該嵌合凸部の先端部の幅よりも大きく形成されており、前記嵌合凹部のテーパ面は、前記嵌合凸部と一致した形状に形成され、前記嵌合凹部の開口端部に突設された係止突起及び前記嵌合凸部に設けられた係止凹部の画成面が一致して成る係止部が設けられている。
【先行技術文献】
【特許文献】
【０００４】
【特許文献１】特表２００３−５３６００１号公報
【特許文献２】米国特許６，８５７，２４２号公報
【発明の概要】
【発明が解決しようとする課題】
【０００５】
しかしながら、上記従来のクッションブロックは、複数個のブロック材を一方向に連結して配置して使用するため、使用するウッドパネルの幅が限られてしまうものであった。またブロック材自体の固定方法はブロック底面を接着するしかなく、ウッドパネルの伸縮に基づく接着不良や長期間の使用による接着状態の劣化が考えられるものであった。更に各ブロック材に突条が一つずつ設けられるため、クッションブロックの連結固定後の突条の位置、すなわちウッドパネルの配置の位置が予め割り出しにくいものであった。
【０００６】
そこで、本発明はこのような点を解決すべくなされたものであって、使用するウッドパネルの幅や固定位置が限られることなく、またウッドパネルの伸縮に応じた固定材自体の固定によって固定不良や長期間の使用による固定状態の劣化がなく、更に、固定材の固定の時点からウッドパネルの配置の位置を予め割り出し易いウッドデッキ固定材及びウッドデッキの固定構造を提供することを課題とする。
【課題を解決するための手段】
【０００７】
上記課題を解決するため、本発明のウッドデッキ固定材及び固定構造は、以下（１）〜（７）の手段を講じている。
【０００８】
（１）本発明のウッドデッキ固定材は、それ自体が根太材７に固定され、底面に複数本の嵌入溝６１が形成されたウッドデッキをそれ自体の上面に固定するものであって、一枚のウッドデッキの嵌入溝６１数に対応した複数の基部１同士が、屈曲構成された連接枠２によって略同一平面内に連接されてなり、
各基部１は、上方に突出した複数の嵌入突部３が、ウッドデッキの各嵌入溝６１に対応する位置に列状形成され、いずれかの嵌入突部３間に、基部１自体を固定するための固定孔４ｈが同列形成されてなることを特徴とする。
【０００９】
すなわち各基部１において、嵌入突部３と固定孔４ｈとが同列形成され、固定孔４ｈは同列配置された複数の嵌入突部３間に挟まれて配置される。嵌入突部３を一つずつ有する複数の基部１が連接してなり、連接された基部１を有する一つの固定材毎に一枚のウッドデッキに対応するため、固定材の取り付け間隔を調整することでウッドデッキの固定位置を調整でき、また同一の嵌入溝６１を有した異なる幅のウッドデッキを使用することで、使用するウッドデッキのパネル幅は限られることがない。
【００１０】
ウッドパネルの嵌入溝６１を中心として各基部１を固定することで、ウッドパネルの伸縮によって嵌入状態が悪くなったり、基部１自体の固定状態が変形したりする事態を抑制することができる。またこれにより、基部１の固定位置がそのままウッドデッキの嵌入溝６１の溝位置となり、ウッドデッキの溝位置の特定によって固定位置の割り出しが可能となり、したがってウッドパネルの配置位置を正確に割り出すことができる。
【００１１】
（２）前記ウッドデッキ固定材において、連接枠２は外枠部分が屈曲枠によって構成され、この屈曲枠は、固定材の連接方向中央位置の両側部に、枠外面が内側に折曲してなる内折れ部２１ｄを有することが好ましい。この内折れ部２１ｄの中折れ中央部が固定するウッドデッキの幅方向中央位置に相当することで、ウッドデッキの固定位置を内折れ部２１ｄによって容易に割り出すことができ、正確な位置にウッドデッキを固定することができる。
【００１２】
（３）前記いずれかのウッドデッキ固定材において、少なくともいずれかの基部１の連接枠２形成側の側部には、基部１上面と同一面内で連接方向に張り出した張り出し片５が形成され、ウッドデッキの固定状態において、基部１上面と共にこの張り出し片５の上面がウッドデッキ下面に対向してなることが好ましい。
基部１上面と共にこの張り出し片５の上面によってウッドデッキ下面を平面的に支承することで、連接部位置での支持強度の不足を解消し、ウッドデッキの破損や連接部位置下方へのゆがみ変形を防ぐことができる。
【００１３】
（４）前記いずれかのウッドデッキ固定材は、平面視にて所定の長さ方向と所定の幅方向に伸長する扁平形状の２つの基部１が、弾性材からなる連接枠２によって幅方向に略同一平面内で連接されたウッドデッキ固定材であって、
各基部１は、第一の嵌入突部３と、固定部と、第二の嵌入突部３とが順に、長さ方向に沿って幅方向中央位置に形成され、
各基部１の連接枠２形成側の長さ方向中央位置には、それぞれ基部１上面と同一面内で幅方向片側へ張り出し片５が側方へ張り出し形成され、
各張り出し片５は片中央部にくぼみが形成されると共に、各張り出し片５のくぼみの中央をピンゲート位置とする射出成型によって一体成形されたものとすることができる。
【００１４】
（５）前記いずれかのウッドデッキ固定材において、基部１は、中央に固定孔４ｈが形成された矩形の固定板１２と、固定板１２の両側方に略同一平面内でそれぞれ延出して枠形成される一対の方形枠１１とから一体的に構成されるものであり、
各方形枠１１の枠内には、ウッドデッキの長さ方向に沿って形成された一本の嵌入溝６１内に共に嵌入し得る嵌入突部３がそれぞれ上向して突設されることが好ましい。
【００１５】
（６）前記いずれかのウッドデッキ固定材において、各嵌入突部３は、基部１の上面から上方へ突出形成された突壁３１と、突壁３１の頂部から壁両面側へそれぞれ傾斜形成された羽根板３２と、突壁３１の壁両側部を台状に支える補強枠３３とから一体的に構成され、各基部１において、複数の突壁３１が一列に離間形成され、各突壁３１の両端に補強枠３３が形成されると共に、この離間部分の隣り合う補強枠３３間に固定孔４ｈが形成されることが好ましい。
【００１６】
（７）上記いずれか記載のウッドデッキ固定材を根太材７に固定したウッドデッキ固定構造であって、根太材７は、ウッドデッキ固定材を上面幅方向に亘って水平固定する中央のベース板７０と、ベース板の両側部から傾斜した傾斜側板７１とから構成され、両側の傾斜側板７１によって、ウッドデッキ固定材を固定した状態で複数個を上方に重ね置きした状態となり得ることが好ましい。このような固定構造は重ね置きすることで固定材の多くを内部に保護した状態で容易に運搬できる。
【発明の効果】
【００１７】
本発明は上記手段を講じることで、使用するウッドパネルの幅や固定位置が限られることなく、またウッドパネルの伸縮に応じた固定材自体の固定によって固定不良や長期間の使用による固定状態の劣化がなく、更に、固定材の固定の時点からウッドパネルの配置の位置を予め割り出し易いウッドデッキ固定材及びウッドデッキの固定構造を提供することができるものとなった。
【図面の簡単な説明】
【００１８】
【図１】本発明のウッドデッキ固定材の実施例の斜視図。
【図２】図１に示すウッドデッキ固定材の実施例の平面図。
【図３】図２のウッドデッキ固定材の実施例の側面視Ａ−Ａ線断面図。
【図４】図２のウッドデッキ固定材の実施例の側面視Ｂ−Ｂ線断面図。
【図５】図２のウッドデッキ固定材の実施例の正面視Ｃ−Ｃ線断面図。
【図６】図１のウッドデッキ固定材の実施例の背面図。
【図７】ウッドデッキ固定材を固定した実施例１のウッドデッキ個固定構造によるウッドデッキ取り付け前後の状態を示す側面視説明図。
【図８】ウッドデッキ固定材を固定した実施例１のウッドデッキ固定構造によるウッドデッキ取り付け途中の状態を示す斜視説明図。
【図９】ウッドデッキ固定材の実施例を固定した実施例２のウッドデッキ固定構造を積み重ねた状態を示す正面視説明図。
【発明を実施するための最良の形態】
【００１９】
以下、本発明の最良の形態例を、実施例として示した図面に基づいて詳細に説明する。図１ないし図６は本発明のウッドデッキ固定材の実施例の説明図であり、図７ないし図８は本発明のウッドデッキ固定材を角棒からなる根太材７７に使用した実施例１のウッドデッキ固定構造の説明図である。このうち図７（ａ）はウッドデッキの嵌め入れ固定前の状態を、図７（ｂ）はウッドデッキの嵌め入れ固定後の状態を示し、そして図８は複数枚のウッドデッキ６の嵌め入れ固定の途中状態を示す。また図９は、本発明のウッドデッキ固定材を、平板からなる根太材７７Ｌに使用した実施例２のウッドデッキ固定構造の説明図である。
【００２０】
本発明のウッドデッキ固定材は、それ自体が根太材７に離散して複数個、列状に固定され、底面に複数本の嵌入溝６１が形成されたウッドデッキ６をそれ自体の上面に固定するものであって、一枚のウッドデッキの嵌入溝６１数に対応した複数の基部１同士が、屈曲構成された連接枠２によって平面内に連接されて一体的に構成される。全体の幅はウッドデッキ６の幅よりも小さく、したがってウッドデッキの固定後にウッドデッキ６の側部から露出することはない（図７，８参照）。
【００２１】
（基部１）
各基部１は、上方に突出した複数の嵌入突部３が、ウッドデッキ６の各嵌入溝６１に対応する位置に列状形成され、いずれかの嵌入突部３間に、基部１自体を固定するための固定孔４ｈが同列形成されてなる。すなわち各基部１において、嵌入突部３と固定孔４ｈとが同列形成され、固定孔４ｈは同列配置された複数の嵌入突部３間に挟まれて配置される。嵌入突部３を一つずつ有する複数の基部１が連接してなり、連接された基部１を有する一つの固定材毎に一枚のウッドデッキに対応するため、固定材の取り付け間隔を調整することでウッドデッキ６の固定位置を調整でき、また同一の嵌入溝６１を有した異なる幅のウッドデッキ６を使用することで、使用するウッドデッキ６のパネル幅は限られることがない。
【００２２】
ウッドデッキ６の嵌入溝６１を中心として各基部１を固定することで、ウッドデッキ６の伸縮によって嵌入状態が悪くなったり、基部１自体の固定状態が変形したりする事態を抑制することができる。またこれにより、基部１の固定位置がそのままウッドデッキ６の嵌入溝６１の溝位置となり、嵌入溝６１の位置の特定によって固定位置の割り出しが可能となり、したがってウッドデッキ６の配置位置を正確に割り出すことができる。
【００２３】
（連接枠２）
連接枠２は外枠部分における硬質弾性の屈曲枠材２１と、内枠部分における硬質弾性の棒状枠材２２とによって構成される。このうち外枠部分を構成する屈曲枠は、ウッドデッキ固定材の連接方向中央位置の両側、すなわち連接枠２の連接方向中央位置の平面視上下部分に、枠外面が内側に折曲してなる内折れ部２１ｄを有する。この内折れ部２１ｄの内折れ部２１ｄの折曲中央部が固定するウッドデッキの幅方向中央位置に相当することで、ウッドデッキ６の幅方向中央の固定位置を内折れ部２１ｄによって容易に割り出すことができ、正確な位置にウッドデッキを固定することができる。また屈曲枠材２１は内折れ部２１ｄを中央として平面視Ｗ字型に折れ曲がる弾性材の縦板から一体形成され、屈曲枠材２１形状の弾性変形によってウッドデッキ６の伸縮変形に対応するものとしている。
【００２４】
また、連接枠２の内枠部分は、ウッドデッキ固定材の連接方向中央位置に沿って、前記平面視上下部分の内折れ部２１ｄ同士をつなぐ細幅の棒状枠材２２からなる。実施例では直線の板材が縦方向に配され、この内枠部分の棒状枠材２２の左右にそれぞれ平面視多角形の閉空間が枠形成される（図２、図６）。屈曲枠材２１と内枠部分の棒状枠材２２とがともに略同一厚さ及び同一幅の縦板で一体構成され、しかもこの縦板の高さ方向を向いた板幅は、板状の基部１の厚さよりも若干短く、基部１の表側に突出しないように基部１表面から下方にずれた上端位置として形成される。
【００２５】
（張り出し片５）すくなくともいずれかの基部１の連接枠２形成側の側部には、基部１上面と同一面内で連接方向に、張り出し片５が張り出して形成される。張り出し片５は矩形の片材の周囲に沿って、基部１上面と同一面の上面を有する枠部が形成され、平面視にて枠内部がくぼみ部となっている。ウッドデッキ６の固定状態においては、基部１上面と、この張り出し片５の枠部の上面とが連なって、ウッドデッキ６下面に対向接触する。基部１上面と共にこの張り出し片５の上面によってウッドデッキ６下面を平面的に支承することで、連接部位置での支持強度の不足を解消し、ウッドデッキ６の破損や連接部位置下方へのゆがみ変形を防ぐことができる。各張り出し片５は片中央部にくぼみが形成されると共に、このくぼみの中央をピンゲート位置として一体成形されたものとすることができる。
【００２６】
（実施例のウッドデッキ固定材）
図１〜図６に示す実施例のウッドデッキ固定材は、平面視にて所定の長さ方向と所定の幅方向に伸長する扁平形状の２つの基部１が、弾性材からなる連接枠２によって幅方向に略同一平面内で一体的に連接され、ピンゲート位置に設定される張り出し片５と共に一体形成される。各基部１は、第一の嵌入突部３と、固定部と、第二の嵌入突部３とが順に、長さ方向に沿って幅方向中央位置に形成され、
各基部１の連接枠２形成側の長さ方向中央位置には、それぞれ基部１上面と同一面内で幅方向片側へ張り出し片５が側方へ張り出し形成される。
【００２７】
（基部１）実施例の基部１は、中央に固定孔４ｈが形成された矩形の固定板１２と、固定板１２の両側方に略同一平面内でそれぞれ延出して枠形成される一対の方形枠１１とから一体的に構成されるものであり、各方形枠１１の枠内には、ウッドデッキ６の長さ方向に沿って形成された突壁３１、及び突壁３１の頂部から両側面側へ下方傾斜する羽根板３２とからなる嵌入突部３が、それぞれ上向して突設される。一対の方形枠１１それぞれの嵌入突部３は各突壁３１が平面視同一列上に配置され、ウッドデッキ６裏面に形成された一本の嵌入溝６１内に共通して嵌入し得る。
【００２８】
（嵌入突部３）実施例の嵌入突部３は、基部１の上面から上方へ突出形成された突壁３１と、突壁３１の頂部から壁両面側へそれぞれ傾斜形成された羽根板３２と、突壁３１の壁両側部を台状に支える補強枠３３とから一体的に構成され、各基部１において、複数の突壁３１が一列に離間形成され、各突壁３１の両端に補強枠３３が形成されると共に、この離間部分の隣り合う補強枠３３間に固定孔４ｈが形成される。実施例では平面視矩形状に枠構成された方形枠１１の幅方向中央位置に突壁３１が形成され、突壁３１の両面にはそれぞれ枠孔が形成される。また補強枠３３の上下端部は上方突出する長方形の補強枠３３によって一体的に補強される。
【００２９】
固定孔４ｈは、前記補強枠３３間に形成された平面視長円形状の傾斜孔の孔底に形成される。穴底は具体的には長円形状の座ぐり板４２から構成され、その中央に、座ぐり板４２の長円形よりも小さい長円形の貫通孔として固定孔４ｈが形成される。この固定孔４ｈの長円方向のいずれかの位置にタップビス８Ｂの頭部が収容され、このタップビス８Ｂによってウッドデッキ固定材が根太材７へ固定される。
【００３０】
傾斜穴４１の裏面には、十字状の支持枠と上下左右四方のヌスミ穴１２ｄとが形成され、その中央に長円形の固定孔４ｈが形成される（図６）。
【００３１】
（ウッドデッキ固定構造）上記いずれか記載のウッドデッキ固定材を複数個、根太材７の上面に等間隔を明けて離間させ、一列に固定することで本発明のウッドデッキ固定構造が構成される。根太材７は、図７、図８に示すように通常の棒状の角材を使用してもよく、図９に示すように、ウッドデッキ固定材を上面幅方向に亘って水平固定する中央のベース板と、ベース板の両側部から傾斜した傾斜側板とから構成される屈曲板材を使用してもよい。特に図９のような屈曲板材を使用すると、両側の傾斜側板によって、ウッドデッキ固定材を固定した状態で複数個を上方に重ね置きした状態となり得る。
【００３２】
ウッドデッキ６は、複数本の嵌入溝６１が長さ方向に形成される。各嵌入溝６１は図７に示すように、溝奥の側部が斜めの「く」の字型の折曲辺６２によって切削構成され（図７ａ）、溝入り口の細幅部分に対して幅広となっており、折曲辺６２の入り口側の辺部が、嵌入した羽根板３２の抜け止め用の返り片として機能する（図７ｂ）。
【００３３】
なお本発明は、各部の具体的な構成を含めて上述した実施例に限定されるものでなく、ウッドデッキ６の幅及びウッドデッキ６のパネル強度を考慮した嵌入溝６１の形成数に応じて、例えば３枚以上の基部１を連結した３枚連結構造、４枚連結構造、或いは５枚連結構造としてもよい。ただしいずれもウッドデッキ６の１枚幅以内に収まる連結数のウッドデッキ固定材であり、少なくともウッドデッキ６の固定枚数分を必要とするものである。また連接方法は硬質弾性材による屈曲連接枠２の枠形成のほか、軟質弾性材による棒状又はひも状連接でもよく、或いは連接長さの調整が可能な機構を有する硬質の棒状材による螺合連接でもよい。また、実施例１、実施例２の各構成の組み合わせや要素の抽出、構成の除外、代替など、本発明の趣旨を逸脱しない範囲で種々の変形及び組み合わせが可能である。
【符号の説明】
【００３４】
１  基部
１１  方形枠
１１ｈ  枠孔
１２  固定板
１２ｄ  ヌスミ穴
２  連接枠
２１  屈曲枠材
２２  中央枠材
２１ｄ  内折れ部
３  嵌入突部
３１  突壁
３２  羽根板
３３  補強枠
４１  傾斜穴
４２  座ぐり板
４ｈ  固定孔
５  張り出し片
５ｆ  張り出し枠
６  ウッドデッキ
６１  嵌入溝
６２  溝側穴
６３  返り片
７  根太材７
７０  ベース面
７１  傾斜側板
７２  張り出し板
【図１】
2012251313.tif 000003
【図２】
2012251313.tif 000004
【図３】
2012251313.tif 000005
【図４】
2012251313.tif 000006
【図５】
2012251313.tif 000007
【図６】
2012251313.tif 000008
【図７】
2012251313.tif 000009
【図８】
2012251313.tif 000010
【図９】
2012251313.tif 000011
【手続補正書】
【提出日】平成24年4月12日(2012.4.12)
【手続補正１】
【補正対象書類名】特許請求の範囲
【補正対象項目名】全文
【補正方法】変更
【補正の内容】
【特許請求の範囲】
【請求項１】
それ自体が根太材に固定され、底面に複数本の嵌入溝が形成されたウッドデッキをそれ自体の上面に固定し、平面視にて所定の長さ方向と所定の幅方向に伸長する扁平形状の２つの基部が、弾性材からなる連接枠によって幅方向に略同一平面内で連接されたウッドデッキ固定材であって、
各基部は、第一の嵌入突部と、固定部と、第二の嵌入突部とが順に、長さ方向に沿って幅方向中央位置に形成され、
連接枠は外枠部分が弾性を有する屈曲枠材によって構成され、この屈曲枠材は、固定材の連接方向中央位置の両側部に、枠外面が内側に折曲してなる内折れ部を有してなり、
各基部の連接枠形成側の長さ方向中央位置には、それぞれ基部上面と同一面内で幅方向片側へ張り出し片が側方へ張り出し形成され、
ウッドデッキの固定状態において、基部上面と共にこの張り出し片の少なくとも周部の上面がウッドデッキ下面に対向してなり、
各張り出し片は片中央部にくぼみが形成されると共に、このくぼみの中央をピンゲート位置として一体成形されたものであることを特徴とするウッドデッキ固定材。
【請求項２】
請求項１に記載のウッドデッキ固定材を根太材に列状に分散固定したウッドデッキ固定構造であって、根太材は、ウッドデッキ固定材を上面幅方向に亘って水平固定する中央のベース板と、ベース板の両側部から傾斜した傾斜側板とから構成され、両側の傾斜側板によって、ウッドデッキ固定材を固定した状態で複数個を上方に重ね置きした状態となり得ることを特徴とするウッドデッキ固定構造。
【手続補正２】
【補正対象書類名】明細書
【補正対象項目名】００３４
【補正方法】変更
【補正の内容】
【００３４】
１    基部
１１  方形枠
１１ｈ  枠孔
１２  固定板
１２ｄ  ヌスミ穴
２  連接枠
２１  屈曲枠材
２２  中央枠材
２１ｄ  内折れ部
３  嵌入突部
３１  突壁
３２  羽根板
３３  補強枠
４１  傾斜穴
４２  座ぐり板
４ｈ  固定孔
５  張り出し片
５ｆ  張り出し枠
６  ウッドデッキ
６１  嵌入溝
６２  溝側穴
６３  返り片
７  根太材
７０  ベース板
７１  傾斜側板
７２  張り出し板